(57)【要約】      （修正有）【課題】簡易な構成で表示パネル及びシャーシを固定するための両面テープの端部が掴みづらくなることを抑制することができる表示装置等を提供する。【解決手段】表示装置は、正面に画像を表示する矩形状の表示パネルと、該表示パネルの周縁部を支持する板状のパネルシャーシと、前記表示パネルの周縁部と該パネルシャーシとの間に介在し、該表示パネルとパネルシャーシとを接着して固定する両面テープ７とを備え、前記パネルシャーシの端部には、該両面テープの端部が固定される折曲部６１が形成してある。【選択図】図３
2019144436.tif 000002
【特許請求の範囲】
【請求項１】
正面に画像を表示する矩形状の表示パネルと、
該表示パネルの周縁部を支持する板状のパネルシャーシと、
前記表示パネルの周縁部と該パネルシャーシとの間に介在し、該表示パネルとパネルシャーシとを接着して固定する両面テープとを備え、
前記パネルシャーシの端部には、該両面テープの端部が固定される折曲部が形成してある
ことを特徴とする表示装置。
【請求項２】
前記両面テープは、易解体性両面テープである
ことを特徴とする請求項１に記載の表示装置。
【請求項３】
前記折曲部は、前記表示パネルに対して逆方向に折り曲げられている
ことを特徴とする請求項１又は請求項２に記載の表示装置。
【請求項４】
前記パネルシャーシは、前記表示パネルの夫々の辺に沿って設けられ、一端部に前記折曲部が形成された板状の辺部材を含み、
前記辺部材の一端部側には、交差するように設けられた他の辺部材の他端部側の周縁に対応した切欠部が形成してある
ことを特徴とする請求項１から請求項３のいずれか一つに記載の表示装置。
【請求項５】
請求項１から請求項４のいずれか１つに記載の表示装置と、
テレビジョン放送を受信する受信部と
を備え、
前記受信部で受信したテレビジョン放送に基づいて前記表示パネルに画像を表示するようにしてあることを特徴とするテレビジョン受信機。
【発明の詳細な説明】
【技術分野】
【０００１】
本発明は、表示装置及びテレビジョン受信機に関する。
【背景技術】
【０００２】
薄型の表示装置として、液晶表示装置が知られている。表示装置は、正面に画像を表示する表示パネルを備える。表示パネルは、背面に設けられたシャーシに両面テープを介在させて固着してある（例えば、特許文献１参照）。この両面テープは、その剪断粘着力が６０Ｎ／ｃｍ2 以下となる基材が使用されている。剪断粘着力が６０Ｎ／ｃｍ2 以下となる基材を使用することによって、表示装置の分解作業を容易化できるとしている。
【０００３】
特許文献１の表示装置は、この両面テープの端部を、シャーシの端部よりも外側にはみ出させて配設することにより、両面テープ端の引張を容易に行うことができるとしている。
【先行技術文献】
【特許文献】
【０００４】
【特許文献１】特開２００２−２６８５７７号公報
【発明の概要】
【発明が解決しようとする課題】
【０００５】
しかしながら、特許文献１の両面テープは、その両端がシャーシの端部からはみ出して配設されているため、両面テープの両端は、粘着性を有した状態で露出して揺れ動く。この露出した両面テープの両端が、ねじれてしまう等により、この両端の形状がくずれ、両面テープの両端が掴みづらくなる虞がある。
【０００６】
本発明は、斯かる事情に鑑みてされたものであり、簡易な構成で表示パネル及びシャーシを固定するための両面テープの端部が掴みづらくなることを抑制することができる表示装置等を提供することを目的とする。
【課題を解決するための手段】
【０００７】
本発明に係る表示装置は、正面に画像を表示する矩形状の表示パネルと、該表示パネルの周縁部を支持する板状のパネルシャーシと、前記表示パネルの周縁部と該パネルシャーシとの間に介在し、該表示パネルとパネルシャーシとを接着して固定する両面テープとを備え、前記パネルシャーシの端部には、該両面テープの端部が固定される折曲部が形成してあることを特徴とする。
【発明の効果】
【０００８】
本発明によれば、簡易な構成で表示パネル及びシャーシを固定するための両面テープの端部が掴みづらくなることを抑制することができる表示装置等を提供することが可能となる。
【図面の簡単な説明】
【０００９】
【図１】実施形態に係る表示装置を略示する斜視図である。
【図２】表示装置の内部構造の要部を略示する側断面図である。
【図３】パネルシャーシの辺部材及び易解体性両面テープを略示する一構成例を略示する斜視図である。
【図４】４つの辺部材を枠状に組み合わせた状態を略示する背面図である。
【図５】図４における左上角部を略示する斜視図である。
【図６】図４における右上角部を略示する斜視図である。
【図７】図４における左下角部を略示する斜視図である。
【図８】図４における右下角部を略示する斜視図である。
【図９】易解体性両面テープを剥がしている状態を示す説明図である。
【発明を実施するための形態】
【００１０】
（実施形態）
図１は、実施形態に係る表示装置を略示する斜視図である。図２は、表示装置の内部構造の要部を略示する側断面図である。図示の表示装置１は、画像表示用の表示パネルとして液晶パネル３と該液晶パネル３に光を照射するバックライト４を備えた液晶表示装置である。
【００１１】
表示装置１は、受信部１１及び信号処理部１２を備えるテレビジョン受信機として構成されている。受信部１１は、図示しないアンテナに接続され、該アンテナを介してテレビジョン放送を受信する。信号処理部１２は、受信部１１が受信したテレビジョン放送に係るデータを復調し、復調したデータから画像データを分離し、分離した画像データを出力する。液晶パネル３は、信号処理部１２が出力した画像データに基づく画像を表示する。
【００１２】
表示装置１は、脚１０を備えている。表示装置１は、脚１０で支えられて平坦な台上に載置され、液晶パネル３の表示面を縦姿勢に保って使用される。以下の説明においては、液晶パネル３の表示部側を前、他側を後とする。また、以下の説明において使用する上、下は、前述した使用状態での上、下に対応し、同じく左、右は、使用状態において前側から見て左、右に対応する。
【００１３】
液晶パネル３は、ガラス基板間に液晶を封入した構成であり、矩形板状をなし、正面に画像を表示する表示部を備えている。液晶パネル３の正面側の縁部は、断面Ｌ字状の枠型のベゼル２によって覆われている。ベゼル２は、樹脂製又はアルミニウム等の金属製である。ベゼル２の側面の外側には、断面Ｔ字状の側面フレーム９が設けられており、表示装置１の側面側の外装体を構成している。側面フレーム９は、樹脂製又はアルミニウム等の金属製である。液晶パネル３の背面側は、バックライト４の外筐を構成するバックライトシャーシ４１により覆われている。バックライトシャーシ４１の背面側は、樹脂製のバックキャビネット８により覆われている。バックキャビネット８は、側面フレーム９の後側に組付けられ、表示装置１の外装体を構成している。
【００１４】
図２に示すごとく、液晶パネル３の前側には、ベゼル２が設けられ、後側には、易解体性両面テープ７、パネルシャーシ６、光学シート群５、導光板４２、反射シート４３、バックライトシャーシ４１がこの順番で設けられている。
【００１５】
易解体性両面テープ７は、液晶パネル３の周縁に沿って上下左右の夫々の縁に配されている。上下左右の縁に配された易解体性両面テープ７夫々は、断面矩形の長寸短冊状をなす。詳細は後述するが、易解体性両面テープ７によって、液晶パネル３とパネルシャーシ６とが接着されて固定してある。
【００１６】
易解体性両面テープ７は、接着力が相違する２層以上の粘着層の重畳体からなる粘着部材を有している。強粘着層の接着力は、例えば６００ｇ／２０ｍｍ以上である。弱粘着層の接着力は、例えば５００ｇ／２０ｍｍ以下である。これら強粘着層及び弱粘着層が重畳密着されることにより、被着体となる液晶パネル３及びパネルシャーシ６の強固な接着と、その接着状態を維持する。そして、当該弱粘着層を剥離面として、易解体性両面テープ７をテープ面の垂線に対し略垂直に引っ張ることにより容易に剥離することができる。または、易解体性両面テープ７は、基材にポリマー発泡層又はポリマーフィルム層を含み、粘着層の剪断粘着力が例えば、６０Ｎ／ｃｍ2 以下となるものであってもよい。
【００１７】
光学シート群５は、例えば２枚のマイクロレンズシートと１枚の輝度向上シートとで構成され、導光板４２と略同じ大きさの矩形をなす。
【００１８】
バックライト４は、バックライトシャーシ４１及び導光板４２を備え、バックライトシャーシ４１の前面に発光素子（図示せず）が設けられた直下型バックライトである。バックライトシャーシ４１は、一面（前面）が開口された箱形状をなし、バックライトシャーシ４１の内面に反射シート４３が設けられている。バックライトシャーシ４１は、パネルシャーシ６に固定されている保持部材４４によって、その端部を保持されている。
【００１９】
導光板４２は、ガラス製、又はアクリル樹脂等の透光性を有する樹脂製の平板であり、矩形をなす。導光板４２は、その後面を、発光素子が設けられたバックライトシャーシ４１の内面（前面）に向けて配置されている。発光素子からの出射光は、導光板４２及び光学シート群５を介して液晶パネル３の背面に照射される。
【００２０】
図３は、パネルシャーシの辺部材及び易解体性両面テープを略示する一構成例を略示する斜視図である。図４は、４つの辺部材を枠状に組み合わせた状態を略示する背面図である。図５は、図４における左上角部を略示する斜視図である。図６は、図４における右上角部を略示する斜視図である。図７は、図４における左下角部を略示する斜視図である。図８は、図４における右下角部を略示する斜視図である。
【００２１】
パネルシャーシ６は、矩形枠状をなし、その上下及び左右の辺を構成する樹脂製又はアルミニウム製の４つの辺部材６３を含む。図３に示すごとく、パネルシャーシ６の辺部材６３は、断面Ｌ字の板状をなし、液晶パネル３に一面を対向する幅広板部と、幅広板部から液晶パネル３とは逆方向、すなわち後側に向かって突出した幅狭板部とを有する。幅広板部の側面が、断面Ｌ字の長辺に対応し、幅狭板部の側面が断面Ｌ字の短辺に対応する。
【００２２】
幅広板部の長手方向の一端部には、液晶パネル３とは逆方向、すなわち後側に向かって折り曲げられた折曲部６１が形成されている。折曲部６１が形成されている一端側の幅広板部には、切欠部６２が形成されている。従って、幅広板部において、切欠部６２が形成されている部位の短手方向の長さは、切欠部６２が形成されていない部位の短手方向の長さよりも、小さくなっている。
【００２３】
幅広板部の液晶パネル３に対向する一面には、易解体性両面テープ７が長手方向の略全長に亘って貼付されている。易解体性両面テープ７の端部は、折曲部６１に沿うように折り曲げられて、その一面を折曲部６１に貼付して固定されている。
【００２４】
パネルシャーシ６の辺部材６３夫々は、液晶パネル３の周縁に沿って、上下左右の夫々の縁に配されている。互いに交差するように設けられた２つの辺部材６３は、一方の辺部材６３に設けられた切欠部６２に、他方の辺部材６３の折曲部６１が形成されていない他端部を向けて、配置されている。辺部材６３の切欠部６２は、交差するように設けられた他の辺部材６３の折曲部６１が形成されていない他端部の周縁に沿うように形成されている。
【００２５】
図９は、易解体性両面テープ７を剥がしている状態を示す説明図である。表示装置１を解体する際、液晶パネル３とパネルシャーシ６とは材質が異なるため、廃材のリサイクルの観点より、これらを分離する必要がある。
【００２６】
液晶パネル３とパネルシャーシ６の辺部材６３夫々とは、易解体性両面テープ７によって接着されて固定されており、易解体性両面テープ７の端部は、図９に示すごとく辺部材６３の折曲部６１に貼付されて固定してある。
【００２７】
表示装置１を解体する作業者は、折曲部６１に貼付されている易解体性両面テープ７の端部を摘み、パネルシャーシ６の短手方向と平行に引っ張ることにより、易解体性両面テープ７を剥がすことができる。
【００２８】
易解体性両面テープ７の端部は、折曲部６１によって固定されているので、易解体性両面テープ７の端部が揺れ動くことを防止し、易解体性両面テープ７の端部が、ねじれた状態となること、周辺に位置する他の部品に接着すること、又は液晶パネル３の表示領域（アクティブエリア）に入り込むことを防止することができる。
【００２９】
折曲部６１は、液晶パネル３とは逆方向に折り曲げられているので、表示装置１の解体時において液晶パネル３の背面側から、折曲部６１に固定された易解体性両面テープ７の端部を掴み引っ張ることにより、易解体性両面テープ７を容易に剥がすことができる。
【００３０】
易解体性両面テープ７は、テープの一面と垂直方向となる粘着力よりも、水平方向となる剪断粘着力が弱くなるように構成してある。従って、易解体性両面テープ７の端部を掴み、テープの一面と略水平方向、すなわちテープの一面の垂線に対し略垂直方向に引っ張ることにより、容易に易解体性両面テープ７を剥がし、液晶パネル３とパネルシャーシ６とを分離することができる。
【００３１】
折曲部６１が形成されている一端側には、交差するように設けられた他のパネルシャーシ６の端部の周縁に沿うように切欠部６２が形成されているので、表示装置１の解体時において、この切欠部６２に易解体性両面テープ７を沿わして容易に剥がすことができる。
【００３２】
本開示の実施形態に係る表示装置１は、正面に画像を表示する矩形状の表示パネル３と、該表示パネル３の周縁部を支持する板状のパネルシャーシ６と、前記表示パネル３の周縁部と該パネルシャーシ６との間に介在し、該表示パネル３とパネルシャーシ６とを接着して固定する両面テープ７とを備え、前記パネルシャーシ６の端部には、該両面テープ７の端部が固定される折曲部６１が形成してある。
【００３３】
本実施形態においては、両面テープ７の端部は、折曲部６１によって固定されているので、両面テープ７の端部がねじれる等によって、両面テープ７の端部が掴みづらくなることを抑制することができる。
【００３４】
本開示の実施形態に係る表示装置１は、前記両面テープ７は、易解体性両面テープ７である。
【００３５】
本実施形態においては、両面テープ７は易解体性両面テープ７であるため、表示パネル３とパネルシャーシ６とを確実に接着して固定しつつ、易解体性両面テープ７をテープ面の垂線に対し略垂直に引っ張ることにより、この易解体性両面テープ７を容易に剥がすことができ、表示装置１の解体作業を効率的に行うことができる。
【００３６】
本開示の実施形態に係る表示装置１は、前記折曲部６１は、前記表示パネル３に対して逆方向に折り曲げられている。
【００３７】
本実施形態においては、折曲部６１は、表示パネル３とは逆方向に折り曲げられているので、表示装置１の解体時において表示パネル３の背面側から、折曲部６１に固定された両面テープ７の端部を掴み引っ張ることにより、両面テープ７を容易に剥がすことができる。
【００３８】
本開示の実施形態に係る表示装置１は、前記パネルシャーシ６は、前記表示パネル３の夫々の辺に沿って設けられ、一端部に前記折曲部６１が形成された板状の辺部材６３を含み、前記辺部材６３の一端部側には、交差するように設けられた他の辺部材６３の他端部側の周縁に対応した切欠部６２が形成してある。
【００３９】
本実施形態においては、切欠部６２が形成してあるので、表示装置１の解体時において、両面テープ７をこの切欠部６２に沿わして容易に剥がすことができる。
【００４０】
本開示の実施形態に係るテレビジョン受信機は、本開示の表示装置１と、テレビジョン放送を受信する受信部１１とを備え、前記受信部１１で受信したテレビジョン放送に基づいて前記表示パネル３に画像を表示するようにしてある。
【００４１】
本実施形態においては、易解体性両面テープ７の端部が揺れ動くことを防止し易解体性両面テープ７を容易に剥がして、表示パネル３とパネルシャーシ６とを分離することができるテレビジョン受信機を提供することができる。
【００４２】
今回開示された実施形態はすべての点で例示であって、制限的なものではないと考えられるべきである。本発明の範囲は、上述した意味ではなく、特許請求の範囲によって示され、特許請求の範囲と均等の意味及び範囲内でのすべての変更が含まれることが意図される。
【符号の説明】
【００４３】
１  表示装置（液晶表示装置）
２  ベゼル
３  液晶パネル（表示パネル）
４  バックライト
４１  バックライトシャーシ
４２  導光板
４３  反射シート
４４  保持部材
５  光学シート群
６  パネルシャーシ
６１  折曲部
６２  切欠部
６３  辺部材
７  易解体性両面テープ
８  バックキャビネット
９  側面フレーム
１０  脚
１１  受信部
１２  信号処理部
【図１】
2019144436.tif 000003
【図２】
2019144436.tif 000004
【図３】
2019144436.tif 000005
【図４】
2019144436.tif 000006
【図５】
2019144436.tif 000007
【図６】
2019144436.tif 000008
【図７】
2019144436.tif 000009
【図８】
2019144436.tif 000010
【図９】
2019144436.tif 000011